(57)【特許請求の範囲】
【請求項１】
ランダムアクセスを行う通信装置に適合される直接通信方法であって、
第１通信装置が、第１送信電力上限を有する第１競合スロットおよび第２送信電力上限を有する第２競合スロットを含む競合スロットにおいてランダムアクセスを行い、前記競合スロットは、コーディネータ装置としての直接通信装置により設けられるステップと、
前記第１競合スロットの前記第１送信電力上限または前記第２競合スロットの前記第２送信電力上限よりも小さい送信電力で、その無線信号を送信するステップと
を含み、前記第１通信装置が、競合に関与し、
より大きな送信電力レベルまたはより高い優先度レベルで割り当てられた前記第１競合スロットは、より小さな送信電力レベルまたはより低い優先度レベルで割り当てられた前記第２競合スロットの出現よりも少ないか、あるいは等しく、かつ
緊急事態を検出した時、前記直接通信装置は、緊急コマンドを送信又はブロードキャストして、緊急設定を起動し、前記緊急コマンドは、緊急の状況を非活性化するタイマーを伝達し、前記直接通信装置は、前記緊急コマンドを受信した時に前記タイマーを起動して所定のサイクル内で前記競合スロットの出現を適合させる、
ことを特徴とする直接通信方法。
【請求項２】
前記第１競合スロットにおいて前記ランダムアクセスを行った後、前記第１通信装置が、ランダムアクセス受取通知を受信するステップ
をさらに含む請求項１に記載の方法。
【請求項３】
前記第２競合スロットにおいて前記ランダムアクセスを行った後、前記第１通信装置が、前記第１競合スロットに対応するランダムアクセス受取通知を受信するステップ
をさらに含む請求項１に記載の方法。
【請求項４】
前記第１競合スロットに対応する前記ランダムアクセス受取通知を受信した後、第２通信装置が、前記第２競合スロットに対応するランダムアクセス受取通知を受信するステップ
をさらに含む請求項３に記載の方法。
【請求項５】
前記第１通信装置が、セルラ通信システムでそのタイミングを調整するステップ
をさらに含む請求項１に記載の方法。
【請求項６】
前記第１通信装置が、第２通信装置のビーコン信号に従って、前記第２通信装置でそのタイミングを調整するステップ
をさらに含む請求項１に記載の方法。
【請求項７】
前記第１通信装置が、セルラ通信システムからのビーコン信号またはメッセージに従って、その送信設定を獲得するステップ
をさらに含む請求項１に記載の方法。
【請求項８】
前記セルラ通信システムからの前記ビーコン信号または前記メッセージに従って、その送信設定を獲得する前記ステップが、
前記ビーコン信号を受信および解読するステップと、
前記解読したビーコン信号において関連するタイミングを受信するステップと、
前記関連するタイミングに基づくデフォルトの送信設定に従って、その送信設定を獲得するステップと
を含む請求項７に記載の方法。
【請求項９】
前記セルラ通信システムからの前記ビーコン信号または前記メッセージに従って、その送信設定を獲得する前記ステップが、
前記ビーコン信号を受信および解読するステップと、
前記解読したビーコン信号において関連するタイミングを受信するステップと、
前記関連するタイミングに従って、その送信設定を獲得するステップと
を含む請求項７に記載の方法。
【請求項１０】
前記セルラ通信システムからの前記ビーコン信号または前記メッセージに従う前記ステップが、
前記第１通信装置が、コーディネータ装置にスペクトルアクセス許可を要求するステップと、
前記第１通信装置が、前記コーディネータ装置から送信電力設定を受信するステップと
を含む請求項７に記載の方法。
【請求項１１】
前記第１通信装置が、前記第２通信装置の前記ビーコン信号に従って、前記第２通信装置でそのタイミングを調整する前記ステップが、
前記第１通信装置が直接通信ネットワークに新たに参入した時、前記第１通信装置が、前記第２通信装置から前記ビーコン信号を検出して、デフォルトのタイミングを獲得するステップと、
前記第１通信装置が、前記ビーコン信号から関連する送信電力設定を獲得するか、あるいは、前記第１通信装置が、前記第２通信装置に前記関連する送信電力設定を要求するステップと
を含む請求項６に記載の方法。
【請求項１２】
前記第２通信装置から再設定メッセージを受信するステップと、
前記再設定メッセージに基づいて、その送信電力を調整するステップと
をさらに含む請求項６に記載の方法。
【請求項１３】
前記２つの競合スロットが、時分割多重である請求項１に記載の方法。
【請求項１４】
前記無線信号が、前記第１通信装置の識別子およびパワータグを含む請求項１に記載の方法。
【請求項１５】
前記第１送信電力上限および前記第２送信電力上限が、少なくとも５ｄＢの差を有する請求項１に記載の方法。
【請求項１６】
第１通信装置で無線信号を送信および受信するよう構成された送受信ユニットと、
前記送受信ユニットに接続され、第１送信電力上限を有する第１競合スロットおよび第２送信電力上限を有する第２競合スロットを含む競合スロットにおいて前記第１通信装置とランダムアクセスを行うよう構成され、前記競合スロットは、コーディネータ装置としての直接通信装置により設けられる通信プロトコルユニットと
を含み、
より大きな送信電力レベルまたはより高い優先度レベルで割り当てられた前記第１競合スロットは、より小さな送信電力レベルまたはより低い優先度レベルで割り当てられた前記第２競合スロットの出現よりも少ないか、あるいは等しく、かつ
緊急事態を検出した時、前記直接通信装置は、緊急コマンドを送信又はブロードキャストして、緊急設定を起動し、前記緊急コマンドは、緊急の状況を非活性化するタイマーを伝達し、前記直接通信装置は、前記緊急コマンドを受信した時に前記タイマーを起動して所定のサイクル内で前記競合スロットの出現を適合させる、
ことを特徴とする直接通信装置。
【請求項１７】
前記第１競合スロットにおいて前記ランダムアクセスを行った後、前記通信プロトコルユニットが、さらに、ランダムアクセス受取通知を受信するよう構成された請求項１６に記載の装置。
【請求項１８】
前記第２競合スロットにおいて前記ランダムアクセスを行った後、前記通信プロトコルユニットが、さらに、前記第１競合スロットに対応するランダムアクセス受取通知を受信するよう構成された請求項１６に記載の装置。
【請求項１９】
前記第１競合スロットにおいて前記ランダムアクセスを受信した後、前記通信プロトコルユニットが、さらに、前記第２競合スロットに対応する第２ランダムアクセス受取通知を受信するよう構成された請求項１８に記載の装置。
【請求項２０】
前記通信プロトコルユニットが、さらに、前記第１送信スロットの前記第１送信電力上限よりも小さい送信電力で、その無線信号を送信するよう構成され、前記第１通信装置が、競合に関与する請求項１６に記載の装置。
【請求項２１】
前記通信プロトコルユニットが、さらに、第２通信装置のビーコン信号に従って、前記第２通信装置で、そのタイミングを調整するよう構成された請求項１６に記載の装置。
【請求項２２】
前記通信プロトコルユニットが、さらに、セルラ通信システムからのビーコン信号またはメッセージに従って、その送信設定を獲得するよう構成された請求項１６に記載の装置。
【請求項２３】
前記セルラ通信システムからの前記ビーコン信号または前記メッセージに従って、その送信設定を獲得するようさらに構成された前記通信プロトコルユニットが、
前記ビーコン信号を受信および解読することと、
前記解読したビーコン信号において関連するタイミングを受信することと、
前記関連するタイミングに基づくデフォルトの送信設定に従って、その送信設定を獲得することと
を含む請求項２２に記載の装置。
【請求項２４】
前記セルラ通信システムからの前記ビーコン信号または前記メッセージに従って、その送信設定を獲得するようさらに構成された前記通信プロトコルユニットが、
コーディネータ装置にスペクトルアクセス許可を要求することと、
前記コーディネータ装置から送信電力設定を受信することと
を含む請求項２２に記載の装置。
【請求項２５】
前記第２通信装置の前記ビーコン信号に従って、前記第２通信装置でそのタイミングを調整するようさらに構成された前記通信プロトコルユニットが、
前記第１通信装置が直接通信ネットワークに新たに参入した時、前記第１通信装置が、前記第２通信装置から前記ビーコン信号を検出して、デフォルトのタイミングを獲得することと、
前記第１通信装置が、前記ビーコン信号から関連する送信電力設定を獲得するか、あるいは、前記第１通信装置が、前記第２通信装置に前記関連する送信電力設定を要求することと
を含む請求項２１に記載の装置。
【請求項２６】
前記通信プロトコルユニットが、さらに、
前記第２通信装置から再設定メッセージを受信するとともに、
前記再設定メッセージに基づいて、その送信電力を調整する
よう構成された請求項２５に記載の装置。
【請求項２７】
前記第１送信電力上限および前記第２送信電力上限が、少なくとも５ｄＢの差を有する請求項１６に記載の装置。
【請求項２８】
少なくとも２つの直接通信装置の中のコーディネータ装置に適合され、
第１送信電力上限を有する少なくとも１つの第１競合スロットおよび第２送信電力上限を有する少なくとも１つの第２競合スロットを含む１つの競合スロットを設定すること
を含み、
より大きな送信電力レベルまたはより高い優先度レベルで割り当てられた前記第１競合スロットは、より小さな送信電力レベルまたはより低い優先度レベルで割り当てられた前記第２競合スロットの出現よりも少ないか、あるいは等しく、かつ
緊急事態を検出した時、前記直接通信装置は、緊急コマンドを送信又はブロードキャストして、緊急設定を起動し、前記緊急コマンドは、緊急の状況を非活性化するタイマーを伝達し、前記直接通信装置は、前記緊急コマンドを受信した時に前記タイマーを起動して所定のサイクル内で前記競合スロットの出現を適合させる、
ことを特徴とする直接通信方法。
【請求項２９】
前記直接通信装置が、許可された送信電力設定または優先度レベルで構成された請求項２８に記載の直接通信方法。
【請求項３０】
前記直接通信装置の中の前記別の直接通信装置にタイミング基準ビーコン信号を送信すること
をさらに含む請求項２８に記載の直接通信方法。
【請求項３１】
前記タイミング基準ビーコン信号において前記直接通信装置に対応する送信電力設定または優先度設定を送信すること
をさらに含む請求項３０に記載の直接通信方法。
【請求項３２】
新たに参入した直接通信装置から、前記新たに参入した直接通信装置の送信電力設定または優先度設定を要求する要求メッセージを受信することと、
前記要求メッセージに応答して、前記送信電力設定または前記優先度設定を前記新たに参入した直接通信装置に送信することと
をさらに含む請求項２８に記載の直接通信方法。
【請求項３３】
前記コーディネータ装置が、前記直接通信装置の無線信号を検出することと、
前記コーディネータ装置が、前記直接通信装置にそれぞれ対応するパワータグおよび関連する識別子を識別することと
をさらに含む請求項２８に記載の直接通信方法。
【請求項３４】
前記コーディネータ装置が、前記パワータグの前記関連する識別子および前記直接通信装置の送信電力設定に基づいて、前記パワータグの電力値が送信電力制限を超過しているかどうかを判断すること
をさらに含む請求項３３に記載の直接通信方法。
【請求項３５】
前記コーディネータ装置によって、１つのパワータグが送信中の直接通信装置の送信電力設定の前記送信電力限界を超過していると判断された時、前記コーディネータ装置が、前記送信中の直接通信装置に再設定メッセージを送信して、前記送信中の直接通信装置の前記パワータグの前記電力値を下げること
をさらに含む請求項３４に記載の直接通信方法。
【請求項３６】
無線信号を送信および受信するよう構成された送受信ユニットと、
前記送受信ユニットに接続され、第１送信電力上限を有する少なくとも１つの第１競合スロットおよび第２送信電力上限を有する少なくとも１つの第２競合スロットを含む１つの競合スロットを設定するよう構成された通信プロトコルユニットと
を含み、
より大きな送信電力レベルまたはより高い優先度レベルで割り当てられた前記第１競合スロットは、より小さな送信電力レベルまたはより低い優先度レベルで割り当てられた前記第２競合スロットの出現よりも少ないか、あるいは等しく、かつ
緊急事態を検出した時、前記直接通信装置は、緊急コマンドを送信又はブロードキャストして、緊急設定を起動し、前記緊急コマンドは、緊急の状況を非活性化するタイマーを伝達し、前記直接通信装置は、前記緊急コマンドを受信した時に前記タイマーを起動して所定のサイクル内で前記競合スロットの出現を適合させる、
ことを特徴とするコーディネータ装置。
【請求項３７】
前記通信プロトコルユニットが、さらに、前記送受信ユニットを介して、タイミング基準ビーコン信号を前記直接通信装置の中の前記別の直接通信装置に送信するよう構成された請求項３６に記載のコーディネータ装置。
【請求項３８】
前記通信プロトコルユニットによって、パワータグの電力値が前記パワータグと関連する送信中の直接通信装置の送信電力設定の送信電力限界を超過していると判断された時、前記通信プロトコルユニットが、さらに、再設定メッセージを送信して、前記送信中の直接通信装置の前記パワータグの前記電力値を下げるよう構成された請求項３６に記載のコーディネータ装置。
【発明の詳細な説明】
【技術分野】
【０００１】
本発明は、直接通信方法、その方法を用いた直接通信装置、およびその方法を用いたコーディネータ装置（coordinator device）に関するものである。
【背景技術】
【０００２】
直接通信とセルラ通信は根本的に異なり、セルラ通信は、ネットワークに接続した全ての通信装置に対して電力制御をかける。全ての通信装置が基地局（base station, BS）に接続された時、基地局は、通常、電力制御メカニズムを用いて各通信装置の送信電力（transmission power）を調整する。つまり、全ての通信装置は、公平に取り扱われる。しかしながら、直接通信の送信電力は中央で調整されないため、直接通信のネットワーク接続（network attachment）またはネットワーク組織（network association）または送信の成功率を増やすには、最大電力を送信することが最も良い手段である。特に、ランダムアクセスプロシージャに対し、通信装置は、宛先デバイス（destination device）の事前知識を持っていないため、最初に最大電力を送信して送信の最大成功率を獲得するが、全ての通信装置が同時に最大電力で送信した時、全ての通信装置が互いに衝突し、その結果、送信の失敗や関連する周波数リソースの失敗といった状況が生じる可能性がある。一般的に、送信電力が大きくなればなるほどより多くの通信装置に影響を与えるため、スペクトル効率（spectrum efficiency）が減少する。
【０００３】
一方、直接通信の送信範囲は、デバイス（victim device）の受信特性や直接通信システム全体の容量に影響を与える可能性がある。送信範囲が大きくなればなるほど、同一の時間および周波数領域を同時に使用できる直接通信装置は少なくなる。
【０００４】
直接通信は、通常、ランダムアクセスフェーズと送信フェーズの２つのフェーズ（phase）を含む。一般の直接通信プロセスにおいて、ランダムアクセスフェーズの目的は、通信装置とアクセスポイント（例えば、ＷｉＦｉ）間でリンクを作ることである。
【０００５】
ランダムアクセスフェーズの間、通信装置は、アクセスポイントに信号を送信して、リソースを求めて他の通信装置と競合する。アクセスポイントは、アクセスポイントに接続された通信装置に受取通知（acknowledge）を行うことができる。アクセスポイントは、さらに、通信装置に対して関連するリソースを送信して、従うべきメッセージを送信する。一般の直接通信プロセスにおいて、送信フェーズの目的は、通信装置とアクセスポイント間でメッセージを交換することである。通信装置は、アクセスポイントにデータを送信する。アクセスポイントは、受信する通信装置データを送信することによって、通信装置に受取通知を行うことができる。
【０００６】
ランダムアクセスフェーズの間、全ての通信装置は類似する送信電力を求めて競合し、優先度を持たない。複数の通信装置は、同時に、周波数および時間リソースを求めて競合することができる。通信装置が低い送信電力を適用した場合、通信装置の送信の成功率が減少するため、競合できない通信装置がいくつか存在する。そのため、予め決められたプロトコルがなくても、全ての通信装置は、平等な送信の成功率を達するために最大電力で送信する。最大電力で送信するということは、周波数ドメインにおける周波数の再利用が少ないことを意味し、さらに、スペクトラム利用（spectrum usage）が不十分であることを意味する。よって、従来の方法は、非常に少数の通信装置（例えば、１つのＷｉＦｉネットワークにおいて１０個の通信装置）に対してしか効果がない。しかしながら、直接通信において関与する通信装置がこのように少数である場合、１ｋｍ圏内のように、比較的長い範囲において直接通信をサポートするには不十分である。
【発明の概要】
【発明が解決しようとする課題】
【０００７】
本発明は、電力効率とネットワーク接続を改善する直接通信方法、直接通信装置、およびの方法を用いたコーディネータ装置に関するものである。
【課題を解決するための手段】
【０００８】
本発明は、直接通信方法の１つの例示的な実施形態を提供する。本実施形態において、直接通信方法は、ランダムアクセスを行う少なくとも１つの通信装置に適合され、第１通信装置が、第１送信電力上限を有する第１競合スロット（contention slot）および第２送信電力上限を有する第２競合スロットを含む競合スロットにおいてランダムアクセスを行うことと、第１競合スロットの第１送信電力上限または第２競合スロットの第２送信電力上限よりも小さい送信電力で無線信号を送信することとを含み、この第１通信装置は、競合に関与する。
【０００９】
本発明は、直接通信方法の１つの例示的な実施形態を提供する。本実施形態において、直接通信方法は、データ送信を行う少なくとも１つの通信装置に適合され、第１通信装置が、第１送信電力上限を有する第１送信スロットおよび第２送信電力上限を有する第２送信スロットを含む送信スロットにおいてデータ送信を行うことと、第１送信スロットの第１送信電力上限または第２送信スロットの第２送信電力上限よりも小さい送信電力で、その無線信号を送信することとを含み、この第１通信装置は、データ送信に関与する。
【００１０】
本発明は、直接通信装置の１つの例示的な実施形態を提供する。本実施形態において、直接通信装置は、送受信ユニットと、通信プロトコルユニットとを含む。送受信ユニットは、無線信号を送信および受信するよう構成される。通信プロトコルユニットは、送受信ユニットに接続され、第１送信電力上限を有する第１競合スロットおよび第２送信電力上限を有する第２競合スロットを含む競合スロットにおいてランダムアクセスを行うよう構成される。
【００１１】
本発明は、直接通信装置の１つの例示的な実施形態を提供する。本実施形態において、直接通信装置は、送受信ユニットと、通信プロトコルユニットとを含む。送受信ユニットは、無線信号を送信および受信するよう構成される。通信プロトコルユニットは、送受信ユニットに接続され、第１送信電力上限を有する第１送信スロットおよび第２送信電力上限を有する第２送信スロットを含む送信スロットにおいてデータ送信を行うとともに、第１送信スロットの第１送信電力上限または第２送信スロットの第２送信電力上限よりも小さい送信電力で、その無線信号を送信するよう構成され、この通信プロトコルユニットは、データ送信に関与する。
【００１２】
本発明は、コーディネータ装置の１つの例示的な実施形態を提供する。本実施形態において、コーディネータ装置は、送受信ユニットと、通信プロトコルユニットとを含む。送受信ユニットは、無線信号を送信および受信するよう構成される。通信プロトコルユニットは、送受信ユニットに接続され、第１送信電力上限を有する少なくとも１つの第１競合スロットおよび第２送信電力上限を有する少なくとも１つの第２競合スロットを含む１つの競合スロットを設定するよう構成される。
【００１３】
図面と併せたいくつかの実施形態を以下に説明し、本発明をさらに詳細に説明する。
【発明の効果】
【００１４】
本発明の方法および装置は、これらの直接通信装置の電力効率およびネットワーク接続を改善することができる。
【図面の簡単な説明】
【００１５】
【図１】１つの例示的な実施形態に係る直接通信に適合された異なる送信電力上限を有する複数の時間スロットを示す概略図である。
【図２Ａ】１つの例示的な実施形態に係る直接通信装置の機能ブロック図である。
【図２Ｂ】１つの例示的な実施形態に係るコーディネータ装置の機能ブロック図である。
【図３】１つの例示的な実施形態に係る競合スロットの概略図である。
【図４】１つの例示的な実施形態に係るインターレース方法で配列された競合スロットの概略図である。
【図５】１つの例示的な実施形態に係る送信スロットの概略図である。
【図６】１つの例示的な実施形態に係るタイミング基準獲得の概略図を示したものである。
【図７】１つの例示的な実施形態に係る送信電力レベル／優先度レベルに基づく競合スロットの異なる周期性を示す概略図である。
【図８】１つの例示的な実施形態に係る競合スロットの周期性の調整を示す概略図である。
【図９】１つの例示的な実施形態に係る送信電力の監視方法のフローチャートである。
【図１０】１つの例示的な実施形態に係る直接通信方法のフローチャートである。
【図１１】１つの例示的な実施形態に係る直接通信方法のフローチャートである。
【図１２】１つの例示的な実施形態に係る直接通信方法のフローチャートである。
【発明を実施するための形態】
【００１６】
以下、例示的な実施形態について、当業者に容易に理解されるように、添付の図面を参照しながら詳細に説明する。発明の概念は様々な形式で実施可能であり、ここで説明する実施形態に限定されるものではない。明確にするため、周知の構成要素の説明は省略し、類似する構成要素には類似する参照符号を使用する。
【００１７】
本発明は、直接通信方法、その方法を用いた直接通信装置、およびその方法を用いたコーディネータ装置を提供する。直接通信に関し、より大きな送信範囲は、通常、より高い優先度を示す。本発明の直接通信方法では、空間ドメイン（spatial domain）の周波数再利用を増やすため、送信電力を制限または上限することができる。送信電力または送信範囲に比例して、新しい充電システムを実装してもよい。直接通信のユーザーは、送信範囲に対して料金を支払う。
【００１８】
図１は、１つの例示的な実施形態に係る直接通信に適合された異なる送信電力上限を有する複数の時間スロット（time slot）を示す概略図である。本実施形態において、直接通信方法は、直接通信を行うための時分割多重（time-division-multiplexed, TDM）ベースの干渉制御機構とみなすことができ、様々な送信電力設定／優先度レベル設定で構成された直接通信装置に対してＴＤＭベースの競合スロットを利用することができる。ＴＤＭベースの干渉制御機構は、アナログデジタル変換器（analog-to-digital converter, ADC）からの量子化誤差（quantization error）による信号抑圧を防止することができる。
【００１９】
図１を参照すると、説明を容易にするため、スロット１、スロット２、スロット３の３つのスロットをそれぞれ第１上限ＵＢ１、第２上限ＵＢ２、第３上限ＵＢ３の異なる送信電力上限で設定（configure）／分類（rank）した。本実施形態の直接通信方法の操作環境において、３つ以上の直接通信装置が存在し、それぞれブロードキャスト（broadcasting）／通知（advertising）／送信（transmitting）メッセージの実行を試みる可能性がある。説明を容易にするため、直接通信装置１、直接通信装置２、直接通信装置３の３つの直接通信装置のみを用いて説明する。
【００２０】
図１の例示的な説明図において、直接通信装置１は、最高優先度レベル／最大送信電力設定で予め設定（pre-configured）／設定（configured）され、直接通信装置２は、中間優先度レベル／中間送信電力設定で予め設定／設定され、直接通信装置３は、最低優先度レベル／最小送信電力設定で予め設定／設定される。この直接通信方法において、直接通信装置１は、ランダムアクセス／データ送信用の第１上限ＵＢ１で設定されたスロット１を求めて競合し、直接通信装置２は、ランダムアクセス／データ送信用の第２上限ＵＢ２で設定されたスロット２を求めて競合し、直接通信装置３は、ランダムアクセス／データ送信用の第３上限ＵＢ３で設定されたスロット３を求めて競合する。
【００２１】
直接通信装置１がランダムアクセス／データ送信用のスロット１を求めて競合した時、直接通信装置１は、送信電力レベルＴＰ１および送信電力レベルＴＰ２等の第１上限ＵＢ１よりも小さい電力で、その無線信号を送信することができる。直接通信の利用者が変化すると、それに従って直接通信装置１と現利用者間の距離が変化するため、直接通信装置１は、全ての予め割り当てられた（pre-allocated）スロット（例えば、スロット１）において固定された送信電力で送信を行わない。そのため、直接通信装置１は、送信電力が第１上限ＵＢ１以下である限り、比較的低い送信電力を選択してランダムアクセス／データ送信を行う。それによって、直接通信装置１に隣接する直接通信装置に生じた干渉が減少し、それに応じて、直接通信装置１の電力効率を向上させることができる。同様に、直接通信装置２がランダムアクセス／データ送信用のスロット２を求めて競合した時、直接通信装置２は、送信電力レベルＴＰ３および送信電力レベルＴＰ４等の第２上限ＵＢ２よりも小さい電力で、その無線信号を送信することができる。また、直接通信装置３がランダムアクセス／データ送信用のスロット３を求めて競合した時、直接通信装置３は、送信電力レベルＴＰ５および送信電力レベルＴＰ６等の第３上限ＵＢ３よりも小さい電力で、その無線信号を送信することができる。
【００２２】
本発明が提案する直接通信方法の方法は、図１に示すように、異なる送信電力／優先度レベルを有するフレーム構造に適用することができる。同じ周波数には、少なくとも２種類の競合スロットが存在する。これらの競合スロットは、さらに、周波数ドメインにおいて複数のチャネルに分割され、ランダムアクセスの成功率を向上させることができる。また、各競合スロットに対し、符号分割多重（code division multiplexed）をさらに適用することができる。
【００２３】
これらの競合スロットは、異なる送信電力レベルまたは優先度レベルにさらに分類される。送信電力レベルは、これらの競合スロットに対する送信電力上限であってもよい。例えば、電力レベルは、少なくとも５ｄＢで減少できる。例えば、送信スロット１において、最大送信電力（すなわち、第１上限ＵＢ１）は２３ｄＢｍであり、送信スロット２において、最大送信電力（すなわち、第２上限ＵＢ２）は１３ｄＢｍである。異なるスロットにおける電力制限によって、競合範囲は異なる。
【００２４】
装置の観点からみると、装置は、その認証された（authorized）優先度または許可された（allowed）送信電力に基づいて競合する。例えば、競合スロット１において、送信電力レベルは最大であるため、送信範囲も最大である。別の例では、競合スロット３において、送信電力レベルは最小であるため、その空間ドメイン隔離が達成可能になり、スペクトル効率を向上させることができる。
【００２５】
高送信電力レベル／優先度レベルにおいて、直接通信装置がこのような高送信電力または優先度レベルで送信することが許可されていない場合、この状況には２つの方法が存在する。第１の方法は、送信電力を直接通信装置が認証された時の許可レベルに制限することであり、第２の方法は、このスロットで無線信号を送信しないよう通信装置を規制することである。
【００２６】
図２Ａに示すように、本発明が提案する直接通信方法は、直接通信装置２０に適合される。また、いくつかの実施形態において、この直接通信方法をアシストするコーディネータ装置２５を構成してもよく、このコーディネータ装置の簡単な機能ブロック図を図２Ｂに示す。図２Ａは、１つの例示的な実施形態に係る直接通信装置の機能ブロック図である。図２Ａを参照すると、直接通信装置２０は、送受信ユニット２０１と、通信プロトコルユニット２０２と、メモリ２０３とを含む。送受信ユニット２０１およびメモリ２０３は、いずれも通信プロトコルユニット２０２に接続される。
【００２７】
送受信ユニット２０１は、他の直接通信装置に無線信号を送信し、他の直接通信装置から無線通信を受信するよう構成される。送受信ユニット２０１は、アナログデジタル信号変換（ＡＤＣ）、デジタルアナログ信号変換（ＤＡＣ）、変調、復調、信号増幅、低域フィルタリング、バンドパスフィルタリングを行うことができる。送受信ユニット２０１は、（他の直接通信装置または無線通信ネットワークから受信した無線信号から変換された）受信したＲＦ信号の情報を通信プロトコルユニット２０２に提供し、通信プロトコルユニット２０２から受信したデータを変調された無線信号に変調し、変調された無線信号を無線通信ネットワークまたは他の直接通信装置に送信するよう構成される。
【００２８】
通信プロトコルユニット２０２は、送受信ユニット２０１に接続される。通信プロトコルユニット２０２は、直接通信装置または基地局から無線信号を受信し、無線信号においてコマンドを処理する（または無線信号のパラメータに基づいて対応する操作を実行する）よう構成される。通信プロトコルユニット２０２は、プロセッサと、組み込まれたソフトウェアまたはファームウェアプログラムを含む。組み込まれたソフトウェアまたはファームウェアプログラムは、通信プロトコルスタックのプログラムコードを含む。通信プロトコルユニット２０２のプロセッサが、通信プロトコルスタックのプログラムコードを実行した時、通信プロトコルユニット２０２は、本発明が提案する直接通信方法（図３〜図１１に示す実施形態で後ほど説明する）の各手順を実行する。例えば、通信プロトコルユニット２０２は、送受信ユニット２０１を介して他の直接通信装置または直接通信装置とは別の任意の他の通信装置から受信したビーコン信号（beacon signal）を解読することができる。通信プロトコルユニット２０２は、さらに、解読されたビーコン信号からタイミング基準（timing reference）、送信電力設定または優先度設定を獲得することができる。さらに、通信プロトコルユニット２０２は、競合スロット／送信スロットにおいて競合し、送受信ユニット２０１を介してランダムアクセス／データ送信を行うことができる。
【００２９】
通信プロトコルユニット２０２は、さらに、決定ユニット（図２Ａに図示せず）を含んでもよい。決定ユニットは、受信した信号電力レベルが予め設定された電力レベルを超過するかどうかを決定するために、値の比較を行うよう構成される。メモリ２０３は、パラメータ、送信電力設定、タイミング設定または優先度レベル設定を一次的に保存するよう構成される。いくつかの実施形態において、メモリ２０３は、パラメータ、デフォルトの送信電力設定、タイミング設定またはデフォルトの優先度レベル設定を一時的に保存するよう構成される。
【００３０】
また、直接通信装置２０は、プロセッサおよびアンテナモジュール等の他の構成要素（図示せず）をさらに含んで、送受信ユニット２０１、通信プロトコルユニット２０２およびメモリ２０３の上述した機能を達成してもよい。
【００３１】
図２Ｂは、１つの例示的な実施形態に係るコーディネータ装置の機能ブロック図である。図２Ｂを参照すると、コーディネータ装置２５は、送受信ユニット２５１と、通信プロトコルユニット２５２と、メモリ２５３とを含むことができる。送受信ユニット２５１およびメモリ２５３は、いずれも通信プロトコルユニット２５２に接続される。
【００３２】
送受信ユニット２５１は、他の直接通信装置に無線信号を送信し、他の直接通信信号から無線信号を受信するよう構成される。送受信ユニット２５１は、アナログデジタル信号変換（ＡＤＣ）、デジタルアナログ信号変換（ＤＡＣ）、変調、復調、信号増幅、低域フィルタリング、バンドパスフィルタリングを行うことができる。送受信ユニット２５１は、（他の直接通信装置または無線通信ネットワークから受信した無線信号から変換された）受信したＲＦ信号の情報を通信プロトコルユニット２５２に提供し、通信プロトコルユニット２５２から受信したデータを変調された無線信号に変調し、変調された無線信号を無線通信ネットワークまたは他の直接通信装置に送信するよう構成される。
【００３３】
通信プロトコルユニット２５２は、送受信ユニット２５１に接続される。通信プロトコルユニット２５２は、直接通信装置または基地局から無線信号を受信し、無線信号でコマンドを処理する（または無線信号のパラメータに基づいて対応する操作を実行する）よう構成される。通信プロトコルユニット２５２は、プロセッサと、組み込まれたソフトウェアまたはファームウェアプログラムを含む。組み込まれたソフトウェアまたはファームウェアプログラムは、通信プロトコルスタックのプログラムコードを含む。通信プロトコルユニット２５２のプロセッサが、通信プロトコルスタックのプログラムコードを実行した時、通信プロトコルユニット２５２は、本発明が提供する直接通信方法（図３〜図８および図１２に示した実施形態で後ほど説明する）の各手順を実行する。例えば、通信プロトコルユニット２５２は、送受信ユニット２５１を介してビーコン信号を一斉送信（broadcast）するか、または、送受信ユニット２５１を介して他の直接通信装置から受信した設定要求メッセージに応答して、設定メッセージ／再設定メッセージを返信する。
【００３４】
通信プロトコルユニット２５２は、さらに、決定ユニット（図２Ｂに図示せず）を含んでもよい。決定ユニットは、受信した信号電力レベルが予め設定された電力レベルを超過するかどうかを決定するために、値の比較を行うよう構成される。メモリ２５３は、パラメータ、送信電力設定、タイミング設定または優先度レベル設定を一次的に保存するよう構成される。
【００３５】
また、コーディネータ装置２５は、プロセッサおよびアンテナモジュール等の他の構成要素（図示せず）をさらに含んで、送受信ユニット２５１、通信プロトコルユニット２５２およびメモリ２５３の上述した機能を達成してもよい。
【００３６】
図３は、１つの例示的な実施形態に係る競合スロットの概略図である。図３を参照すると、例えば、競合スロット１、２および３が図３に示されている。競合スロット１は、例えば、その無線信号を別の直接通信装置３２に送信する直接通信装置３１またはその無線信号を別の直接通信装置３４に送信する直接通信装置３３に対して、高送信電力レベル／高優先度レベルを割り当てる（allocate）／分類する（rank）ことができる。競合スロット１と比較して、競合スロット２は、直接通信装置３１、３３よりも小さい送信範囲内で、例えば、その無線信号を別の直接通信装置に送信する別の直接通信装置に対して、中送信電力レベル／中優先度レベルを割り当てる／分類することができる。また、競合スロット１および競合スロット２と比較して、競合スロット３は、直接通信装置３１、３３、３５よりも小さい送信範囲内で、例えば、別の直接通信装置３６にその無線信号を送信する直接通信装置３５または別の直接通信装置３８にその無線信号を送信する直接通信装置３７に対して、低送信電力レベル／低優先度レベルを割り当てる／分類することができる。
【００３７】
本発明が提案する直接通信方法に適合される競合スロットは、図４に示すインターレース方法（interlaced manner）で構成することができる。例えば、競合スロット１のような前サブスロットは、直接通信装置３１によりランダムアクセス競合４１を行うために使用することができる。別の競合スロット１のような後サブスロットは、ランダムアクセス競合４１の受取通知を行うよう構成されたランダムアクセス受取通知（random access acknowledgement）４２を送信する直接通信装置によって使用することができる。本実施形態において、リソース割り当て情報は、ランダムアクセス受取通知４２においても同様に伝達することができ、リソース割り当て情報は、直接通信装置の中のコーディネータ装置によって指定される。実際の実施例では、例えば、直接通信装置２０は、その通信プロトコルユニット２０２を使用して、送受信ユニット２０１を介して、第１競合スロットにおいてランダムアクセス競合を受信してから、第２競合スロットにおいてランダムアクセス競合の受取通知を行う。
【００３８】
図５は、１つの例示的な実施形態に係る送信スロットの概略図である。フレーム構造は、図５に示した異なる送信電力レベル／優先度レベルを有する送信スロットから成る。同じ周波数キャリアには、少なくとも２種類の送信スロットが存在する。これらの送信スロットの中で、送信スロットは、さらに、異なる送信電力レベルまたは優先度レベルに分類することができる。送信電力レベルは、これらの送信スロットに対する送信電力上限であってもよい。送信電力レベルは、少なくとも５ｄＢで減少できる。例えば、送信スロット１において、最大送信電力レベルは２３ｄＢｍであり、送信スロット２において、最大送信電力レベルは１３ｄＢｍである。異なるスロットにおける送信電力上限によって、送信スロット１、２および３の競合範囲は互いに異なる。
【００３９】
図５は、３種類の競合スロットの例を示したものである。送信スロット１において、送信電力は最大であるため、送信範囲も最大である。送信スロット３において、送信電力は最小であるため、空間ドメイン分離が達成可能となり、スペクトル効率を向上させることができる。
【００４０】
送信スロットは、データ信号をページングまたはブロードキャスティングするよう構成される。ページングに対し、直接通信装置は、内容、キーインデックス、場所、カテゴリー、装置識別名（device identifier, ID）、詳細情報のリソース等の情報をブロードキャストすることができる。ページングが送信スロットで使用された場合、送信フェーズの受取通知を省略することができる。別の実施形態において、直接通信方法に関する送信フェーズより前のランダムアクセスフェーズは、いずれも必要ない。
【００４１】
送信の観点からみると、直接通信装置は、その認証された優先度レベルまたは許可された送信電力レベルに基づいて、その無線信号／メッセージを送信する。高電力／優先度レベルにおいて、直接通信装置がこのような高電力または優先度で送信することが許可されていない場合、この状況には２つの方法が存在する。第１の方法は、送信電力を直接通信装置が認証された時の許可レベルに制限することであり、第２の方法は、このスロットで無線信号を送信しないよう通信装置を規制することである。
【００４２】
例えば、送信スロット１は、例えば、その無線信号を別の直接通信装置３２に送信する直接通信装置３１またはその無線信号を別の直接通信装置３４に送信する直接通信装置３３に対して、高送信電力レベル／高優先度レベルを割り当てることができる。競合スロット１と比較して、競合スロット２は、直接通信装置３１、３３よりも小さい送信範囲内で、例えば、その無線信号を別の直接通信装置に送信する別の直接通信装置に対して、中間送信電力レベル／中間優先度レベルを割り当てることができる。また、競合スロット１および競合スロット２と比較して、競合スロット３は、直接通信装置３１、３３、３５よりも小さい送信範囲内で、例えば、その無線信号を別の直接通信装置３６に送信する直接通信装置３５またはその無線信号を別の直接通信装置３８に送信する直接通信装置３７に対して、低送信電力レベル／低優先度レベルを割り当てることができる。
【００４３】
本発明の実施形態において、フレーム構造は、タイミング同期であってもよい。タイミング同期を達成するために、各直接通信装置はタイミング基準を獲得する必要があり、タイミング基準を獲得するには２つの方法が存在する。第１の方法は、３ＧＰＰ  ＬＴＥ（long term evolution）システム、ＧＳＭ（global system for mobile communication）、ＷｉＭＡＸ（Worldwide Interoperability for Microwave Access）、第３世代移動体通信システム（third generation mobile communication system, 3G）、広帯域符号分割多重アクセス（wideband code division multiple access, WCDMA）、ＷｉＦｉネットワーク、符号分割多重接続２０００（code division multiple access 2000, CDMA2000）、ＧＰＳ（global positioning system）等のセルラ通信システム、無線アクセスネットワークまたは無線対応ポジショニングシステムに接続される直接通信装置を必要とする。したがって、直接通信装置は、セルラ通信システム、無線アクセスネットワークまたは無線対応ポジショニングシステムからの基準タイミングに従うことができる。例えば、図６は、１つの例示的な実施形態に係るタイミング基準獲得の概略図を示したものである。図６を参照すると、通信装置６５１は、タイミング基準信号をその無線サービスカバレッジ６５内で直接通信装置にブロードキャストするよう構成された基地局（またはアクセスポイント等）である。
【００４４】
本発明の別の実施形態において、直接通信装置は、タイミング基準としてビーコン信号をブロードキャストすることができる。例えば、直接通信装置６０１は、タイミング基準としてビーコン信号をブロードキャストするよう構成されたものであり、直接通信装置６０１の送信範囲６０内にある直接通信装置６０２等の他の直接通信装置は、ビーコン信号のタイミング基準を受信および解読して、従うことができる。
【００４５】
本発明の実施形態において、干渉を制御するため、本発明が提案する通信方法は、さらに、いくつかのＴＤＭベースの干渉制御メカニズムを含んでもよい。ＴＤＭベースの干渉制御メカニズムの第１カテゴリーは、優先度設定獲得と関連する。送信電力レベル設定／優先度設定は、全ての直接通信装置に通知されなければならない。送信電力レベル設定／優先度設定を獲得するため、いくつかの方法が存在する。
【００４６】
第１の方法は、ビーコン(beacon)ベースの方法である。ビーコンベースの方法において、全ての直接通信装置は、デフォルトの設定を有する。各直接通信装置は、ビーコン信号を介して関連するタイミング基準を受信し、例えば、直接通信装置６０２は、直接通信装置６０１から関連するタイミング基準を受信する。直接通信装置は、解読したビーコン信号に基づいて、デフォルトの設定に従って基準タイミングを獲得することができる。
【００４７】
第２の方法は、改良されたビーコンベースの方法である。改良されたビーコンベースの方法において、全ての直接通信装置は、デフォルトの設定を有する。各直接通信装置は、ビーコン信号を介して関連するタイミング基準を受信し、例えば、直接通信装置６０２は、直接通信装置６０１から関連するタイミング基準を受信する。ビーコン信号は、関連する送信電力レベル設定／優先度設定を伝達し、直接通信装置は、関連する送信電力レベル設定／優先度設定に従って基準タイミングを獲得することができる。
【００４８】
第３の方法は、インフラストラクチャベース（infrastructure-based）の方法である。インフラストラクチャベースの方法において、直接通信装置は、アクセスポイントまたは基地局にアクセスして、スペクトルアクセスの許可を要求することができ、例えば、基地局６５１の無線サービスカバレッジ６５内にある直接通信装置は、基地局６５１にスペクトルアクセスの許可を要求することができる。アクセスポイント装置または基地局は、前の要求に応じて、要求している直接通信装置に、関連する優先度レベル／送信電力レベルの設定を送信することができる。
【００４９】
第４の方法は、デバイスベースの方法である。デバイスベースの方法において、直接通信装置６０１等の直接通信装置は、ビーコン信号を送信することができる。直接通信装置６０２等の新たに参入した装置は、その通知プロトコルユニット２０２を使用してビーコン信号を検出し、送受信ユニット２０１を介してビーコン信号からタイミング基準を獲得することができる。ビーコン信号は、関連する送信電力レベル設定／優先度設定を伝達することができる。別の実施形態において、新たに参入した装置は、関連する送信電力レベル設定／優先度設定を別の直接通信装置に要求することができる。この要求に応じて、要求された直接通信装置は、関連する送信電力レベル設定／優先度設定を返信する。
【００５０】
図１および図３〜図５は、例示的な実施形態に係るＴＤＭベースの競合スロット／送信スロットのフレーム構造を示したものである。本発明が提案する直接通信方法は、競合スロット割当（contention slot assignment）／送信スロット割当（transmission slot assignment）の周期性を調整することができる。図７は、１つの例示的な実施形態に係る送信電力レベル／優先度レベルに基づく競合スロットの異なる周期性を示す概略図である。
【００５１】
図７を参照すると、所定のサイクル（predetermined cycle）／予め設定されたサイクル（pre-configured cycle）において、競合スロット１、２、３の出現（occurrence）は、送信電力レベルまたは優先度レベルによって変化する。本実施形態において、より大きな送信電力レベルまたはより高い優先度レベルで割り当てられた競合スロット１は、より小さな送信電力レベルまたはより低い優先度レベルで割り当てられた競合スロット２の出現よりも少ないか、あるいは等しい。この方法により、大部分の出現現象（occurrence event）に対する送信率を増やすことができる。
【００５２】
例えば、図７に示すように、所定のサイクルには８個の競合スロット７０が存在する。競合スロット１は、８個の競合スロット毎に１度出現し、競合スロット２は、８個の競合スロット毎に２度出現し、競合スロット３は、８個の競合スロット毎に５度出現している。
【００５３】
しかしながら、本発明は、上述した競合スロットの周期性に限定されない。緊急の場合、高い優先度の競合スロットの数は、同時にランダムアクセス／データ送信を求めて競合している多数の直接通信装置をサポートするには不十分である可能性がある（例えば、１秒以内に１０００個の装置が競合しようとした時）。そのため、本発明が提案する直接通信方法は、緊急事態の場合に競合スロットの周期性を変える調整手順を含んでもよい。
【００５４】
図８は、１つの例示的な実施形態に係る競合スロットの周期性の調整を示す概略図である。高い優先度または送信電力の競合スロットの数を増やすことにより、送信の成功率を上げることができる。例えば、直接通信装置６０１等の直接通信装置が、その通信プロトコルユニット２５２を使用して、その送受信ユニット２５１を介して緊急事態を検出した時、直接通信装置は、緊急コマンド８０を送信／ブロードキャストして、緊急設定を起動することができる。緊急コマンド８０は、他の直接通信装置に流れてもよい。複数ラウンドの直接通信装置間で緊急コマンドがあふれるのを防ぐため、緊急コマンドは、緊急の状況を非活性化するタイマーを伝達し、直接通信装置は、緊急コマンドを受信した時にタイマーを起動することができる。
【００５５】
図８を参照すると、送信電力レベル／優先度レベルに基づいた緊急事態の場合に競合スロットの周期性を調整するために、コーディネータ装置としての直接通信装置６０１は、同一の送信電力レベル／優先度レベルを有する全ての競合スロットを高送信電力／優先度に切り替えることができる。直接通信装置６０１は、また、所定の期間内で同一の送信電力レベル／優先度レベルを有する競合スロット／送信スロットの出現のビットマップを使用して、どの競合スロットが高送信電力／優先度に変わるのかを表示することもできる。
【００５６】
本発明が提案する直接通信方法は、異なる直接通信装置の送信電力の監視に関してスペクトル監視の手順を含む。本発明が提案する直接通信方法は、システム監視をサポートすることができる。監視システムまたは直接通信装置の中の予め設定された直接通信装置は、残りの直接通信装置のスペクトラム使用を監視することができる、本実施形態において、予め設定された直接通信装置は、コーディネータ装置であってもよい。直接通信装置がメッセージをブロードキャストした時、直接通信装置は、ブロードキャスト信号とともに関連するパワータグ（power Tag）およびそのＩＤを伝達することができる。予め設定された直接通信装置、基地局または無線アクセスポイントは、パワータグおよび関連するＩＤを監視して、現在送信中の直接通信装置が設定の送信電力限界を破るかどうかを識別することができる。現在送信中の直接通信装置が電力限界を超えてその無線信号を送信している場合、予め設定された直接通信装置、基地局または無線アクセスポイントは、直接通信装置と通信して、直接通信装置を再設定することができる。図９は、１つの例示的な実施形態に係る送信電力の監視方法のフローチャートである。
【００５７】
図９を参照すると、送信電力の監視方法は、ステップＳ９１から始まり、直接通信装置２０は、その送信電力設定／優先度設定に基づく競合スロットを介して、メッセージ（または、その無線信号）をブロードキャスト／通知し、メッセージまたは無線信号は、直接通信装置２０のパワータグおよびＩＤを伝達する。
【００５８】
ステップＳ９２において、コーディネータ装置２５は、ブロードキャスト／通知されたメッセージ（または無線信号）を検出する。ステップＳ９３において、コーディネータ装置２５は、受信した送信電力またはパワータグの値が現在送信中の直接通信装置２０の送信電力レベル設定／優先度レベルに基づく所定の送信電力限界よりも大きいか（または超えるか）どうかを判断する。受信した送信電力またはパワータグの値が所定の送信電力限界よりも大きい（または超える）場合、ステップＳ９３の後にステップＳ９４が実行される。そうでなければ、ステップＳ９３の後にステップＳ９２が再度実行される。
【００５９】
ステップＳ９４において、コーディネータ装置２５は、直接通信装置２０と通信して、直接通信装置２０の再設定を試みることができる。例えば、コーディネータ装置２５は、直接通信装置２０にメッセージを送信し、所定の送信電力限界を破っていることを直接通信装置２０に通知することができる。また、コーディネータ装置２５は、直接通信装置２０にメッセージ（または再設定メッセージ）を送信してから、より低い送信電力レベル／より低い優先度レベルで直接通信装置２０を再設定することができる。それから、直接通信装置２０は、再設定メッセージに基づいて、その送信電力を調整することができる。
【００６０】
本発明において、直接通信装置は、いくつかの方法で優先度設定を獲得することができる。例えば、第１の方法は、その優先度設定を直接通信装置に組み込む方法である。直接通信装置は、メモリ２０３等のメモリに優先度を保存することができる。第２の方法は、直接通信装置が、別の直接通信装置にアクセスして優先度設定を獲得する方法である。第３の方法は、直接通信装置が、優先度認証を取り扱うコーディネータ装置２５等のネットワークコーディネータにアクセスする方法である。第４の方法は、直接通信装置が、ＷｉＭＡＸ、ＬＴＥ、ユニバーサル地上無線アクセス（universal terrestrial radio access, UTRA）、ＧＳＭ、ＧＰＲＳ等の他の無線アクセス技術による無線アクセスネットワークを介してアクセスし、その優先度設定を獲得する方法である。
【００６１】
図１０は、１つの例示的な実施形態に係る直接通信方法のフローチャートである。図１０を参照すると、直接通信方法は、直接通信装置に適合される。説明を容易にするため、手順の説明において、直接通信装置の中の１つの直接通信装置を主題とみなす。本発明が提案する直接通信方法は、ステップＳ１０１から始まり、少なくとも１つの通信装置内にある直接通信装置は、残りの通信装置とリソース割り当てを求めて競合し、その送信電力設定に基づいて、同じ周波数キャリア上の少なくとも１つの競合スロットにおいてランダムアクセスを行う。実際の実施例では、例えば、直接通信装置２０は、その通信プロトコルユニット２０２を使用して残りの通信装置とリソース割り当てを求めて競合し、その送信電力設定に基づいて、送受信ユニット２０１を介して同じ周波数キャリア上の少なくとも１つの競合スロットにおいてランダムアクセスを行う。通信プロトコルユニット２０２は、前もって送信電力設定を獲得しておき、その送信電力設定を記録する。
【００６２】
ステップＳ１０２において、直接通信装置は、そのそれぞれの識別子および関連するパワータグを有する無線信号を送信する。実際の実施例では、例えば、直接通信装置２０は、その通信プロトコルユニット２０２を使用して、送受信ユニット２０１を介してそのそれぞれの識別子および関連するパワータグを有する無線信号を送信する。通信プロトコルユニット２０２は、関連するパワータグおよびその識別子をメモリ２０３に記録することができる。
【００６３】
図１１は、１つの例示的な実施形態に係る直接通信方法のフローチャートである。図１１を参照すると、直接通信方法は、直接通信装置に適合される。説明を容易にするため、手順の説明において、直接通信装置の中の１つの直接通信装置を主題とみなす。本発明が提案する直接通信方法は、ステップＳ１１１から始まり、少なくとも１つの通信装置内にある直接通信装置は、残りの通信装置とリソース割り当てを求めて競合し、その優先度設定に基づいて、同じ周波数キャリア上の少なくとも１つの競合スロットにおいてランダムアクセスを行う。実際の実施例では、例えば、直接通信装置２０は、その通信プロトコルユニット２０２を使用して残りの通信装置とリソース割り当てを求めて競合し、その優先度設定に基づいて、送受信ユニット２０１を介して同じ周波数キャリア上の少なくとも１つの競合スロットにおいてランダムアクセスを行う。通信プロトコルユニット２０２は、前もって送信電力設定を獲得しておき、その送信電力設定を記録する。
【００６４】
ステップＳ１１２において、直接通信装置は、そのそれぞれの識別子および関連するパワータグを有する無線信号を送信する。実際の実施例では、例えば、直接通信装置２０は、その通信プロトコルユニット２０２を使用して、送受信ユニット２０１を介してそのそれぞれの識別子および関連するパワータグを有する無線信号を送信する。通信プロトコルユニット２０２は、関連するパワータグおよびその識別子をメモリ２０３に記録することができる。
【００６５】
図１２は、１つの例示的な実施形態に係る直接通信方法のフローチャートである。図１２を参照すると、直接通信方法は、直接通信装置の１つであるコーディネータ装置に適合される。説明を容易にするため、手順の説明において、コーディネータ装置を主題とみなす。本発明が提案する直接通信方法は、ステップＳ１２１から始まり、コーディネータ装置は、同じ周波数キャリア上の少なくとも１つの競合スロットにおいて、少なくとも１つの直接通信装置の中の別の直接通信装置から少なくとも１つのランダムアクセス競合メッセージを受信する。実際の実施例では、例えば、コーディネータ装置２５は、その通信プロトコルユニット２５２を使用し、送受信ユニット２５１を介して、同じ周波数キャリア上の少なくとも１つの競合スロットにおいて少なくとも１つの直接通信装置の中の別の直接通信装置から少なくとも１つのランダムアクセス競合メッセージを受信する。
【００６６】
ステップＳ１２２において、少なくとも１つのランダムアクセス競合メッセージに応じて、コーディネータ装置は、ランダムアクセス競合メッセージに対応する少なくとも１つのランダムアクセス受取通知を返信し、パワータグが対応する競合スロットの送信電力上限を超える送信電力を示している場合に、直接通信装置の送信電力を再設定する。実際の実施例では、例えば、コーディネータ装置２５の通信プロトコルユニット２５２は、少なくとも１つの競合スロットにおける少なくとも１つのランダムアクセス競合メッセージに対応する少なくとも１つのランダムアクセス受取通知を返信することができる。
【００６７】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【産業上の利用可能性】
【００６８】
本発明は、直接通信装置および通信コーディネータ装置に関わる通信産業に適用することができる。
【符号の説明】
【００６９】
ＵＢ１    第１送信電力上限
ＵＢ２    第２送信電力上限
ＵＢ３    第３送信電力上限
ＴＰ１    第１送信電力レベル
ＴＰ２    第２送信電力レベル
ＴＰ３    第３送信電力レベル
ＴＰ４    第４送信電力レベル
ＴＰ５    第５送信電力レベル
ＴＰ６    第６送信電力レベル
２０    直接通信装置
２０１    送受信ユニット
２０２    通信プロトコルユニット
２０３    メモリ
２５    コーディネータ装置
２５１    送受信ユニット
２５２    通信プロトコルユニット
２５３    メモリ
３１〜３８    直接通信装置
４１    ランダムアクセス競合
４２    ランダムアクセス受取通知
６０１    直接通信装置
６０２    直接通信装置
６０    直接通信装置６０１の送信範囲
６５１    直接通信装置
６５    直接通信装置６５１の無線カバレッジ
７０    競合スロットの周期性
８０    緊急コマンド
Ｓ９１〜Ｓ９４    方法ステップ
Ｓ１０１〜Ｓ１０２    方法ステップ
Ｓ１１１〜Ｓ１１２    方法ステップ
Ｓ１２１〜Ｓ１２２    方法ステップ
【図１】
0005775054.tif 000002
【図２Ａ】
0005775054.tif 000003
【図２Ｂ】
0005775054.tif 000004
【図３】
0005775054.tif 000005
【図４】
0005775054.tif 000006
【図５】
0005775054.tif 000007
【図６】
0005775054.tif 000008
【図７】
0005775054.tif 000009
【図８】
0005775054.tif 000010
【図９】
0005775054.tif 000011
【図１０】
0005775054.tif 000012
【図１１】
0005775054.tif 000013
【図１２】
0005775054.tif 000014